(57)【要約】【課題】小形化が容易で、コンタクト部分の接触の信頼性が大きく、更に、プラグ挿脱時に良好なクリック感が得られる嵌合型のコネクタを実現する。【解決手段】コネクタ２０は、ジャック２１と、このジャック２１に対して挿脱自在に装着されるプラグ２２２と、を備えている。ジャック２１は、この第１中心線に対して直交する方向であって、且つ、所定距離隔てて並行に配設されたコイルばねからなる第１、第２ジャックコンタクト４１，４２を有している。プラグ２２は、この第２中心線の方向であって、且つ、所定距離隔てて並行に配設され、第１、第２ジャックコンタクト４１，４２の側面部に対してそれぞれ離接可能に接触する第１、第２プラグコンタクト６１，６２を有している。【選択図】図１
2014216224.tif 000002
【特許請求の範囲】
【請求項１】
ジャックと、前記ジャックに対して挿脱自在に装着されるプラグと、を備えたコネクタにおいて、
前記ジャックは、
略柱状の第１絶縁体と、
前記第１絶縁体の第１中心線に沿って形成された絶縁体挿入孔と、
前記第１中心線に対して直交する方向であって、且つ、所定距離隔てて並行に形成された第１及び第２ジャックコンタクト挿入孔と、
前記第１及び第２ジャックコンタクト挿入孔にそれぞれ挿着されたコイルばねからなる第１及び第２ジャックコンタクトと、を有し、
前記プラグは、
前記絶縁体挿入孔に対して挿脱自在に挿着される略柱状の第２絶縁体と、
前記第２絶縁体の第２中心線の方向であって、且つ、所定距離隔てて並行に形成された第１及び第２プラグコンタクト挿入孔と、
前記第１及び第２プラグコンタクト挿入孔にそれぞれ挿着され、前記第１及び第２ジャックコンタクトの側面部に対してそれぞれ離接可能に接触する第１及び第２プラグコンタクトと、
を有することを特徴とするコネクタ。
【請求項２】
前記絶縁体挿入孔の内壁面には、前記第１中心線の方向に、第１案内部が形成され、
前記第２絶縁体の外周面には、前記第２中心線の方向に、前記第１案内部に対して係合可能な第２案内部が形成されていることを特徴とする請求項１記載のコネクタ。
【請求項３】
前記第２絶縁体の外周面には、前記第１及び第２プラグコンタクトを露出させ、且つ前記第１及び第２ジャックコンタクトを受け入れるための環状の係合凹部が形成されていることを特徴とする請求項１又は２記載のコネクタ。
【請求項４】
前記第１及び第２プラグコンタクトは、ピン形状であることを特徴とする請求項１〜３のいずれか１項に記載のコネクタ。
【請求項５】
前記第１絶縁体及び前記第２絶縁体は、樹脂部材により形成されていることを特徴とする請求項１〜４のいずれか１項に記載のコネクタ。
【請求項６】
前記ジャック及び前記プラグは、携帯機器と電気コードとの電気的な接続箇所に設けられることを特徴とする請求項１〜５のいずれか１項に記載のコネクタ。
【請求項７】
前記携帯機器は、イヤホン及びヘッドホンを含む音響機器であることを特徴とする請求項６記載のコネクタ。
【発明の詳細な説明】
【技術分野】
【０００１】
本発明は、イヤホンやヘッドホンといった音響機器等と電気コードとの電気的な接続箇所等に設けられる小型のコネクタに関するものである。
【背景技術】
【０００２】
従来、回路又は機器等の相互間を電気的に接続するための嵌合型のコネクタは、例えば、ジャックと、このジャックに対して挿脱自在に装着されるプラグと、を備えている。ジャック及びプラグのうち、例えば、ジャックには、接触機能を持つ雌コンタクトが設けられ、プラグには、その雌コンタクトに接触する雄コンタクトが設けられている。雌コンタクト又は雄コンタクトのいずれかには、ばね性を持たせ、コンタクト相互の挿入により、確実に電気回路を接続するように構成されている。例えば、雄コンタクトがばね性を持たない場合、雌コンタクトには、ばね性を持たせるために、ばね性のある材料（即ち、ばね材）として例えば板ばねが使用されている。
【０００３】
しかし、コンタクトに板ばねを使用した場合、板ばねのばね性、接触の信頼性、及び機械的強度を大きくしようとすると、板ばね全体の寸法を大きくしなければならず、その結果、コネクタ全体の横、縦及び奥行きの寸法の小形化（例えば、各１０ｃｍ以下）が難しくなる。
【０００４】
又、下記の特許文献１、２には、雄コンタクトとしてコイルばねを使用し、雌コンタクトして、そのコイルばねに対して離接可能に接触する薄板状電極を使用した印刷配線板用等の非嵌合型のコネクタが記載されている。この非嵌合型のコネクタでは、コイルばねを薄板状電極に圧接させて固定するための押圧固定部材が別途必要となる。
【先行技術文献】
【特許文献】
【０００５】
【特許文献１】特開平１０−９２５４０号公報
【特許文献２】特開２００２−９３４９４号公報
【発明の概要】
【発明が解決しようとする課題】
【０００６】
しかしながら、従来の板ばねを使用した嵌合型のコネクタでは、上述したように、板ばねのばね性、接触の信頼性、及び機械的強度を大きくするために、小形化には限界があった。
【０００７】
そこで、前記特許文献１、２に記載された非嵌合型のコネクタで使用されているコイルばねを、前記嵌合型のコネクタのコンタクトに適用して、小形化を図ることが考えられる。しかし、コイルばねを使用して前記嵌合型のコネクタの小形化を図ろうとすると、そのコネクタに、上述した押圧固定部材等を取り付けなければならず、コネクタの構造が複雑化するおそれがある。
【０００８】
そのため、比較的簡単な構造で、接触の信頼性及び機械的強度が大きく、且つ小形の嵌合型のコネクタを実現することが困難であった。
【課題を解決するための手段】
【０００９】
本発明のコネクタは、ジャックと、前記ジャックに対して挿脱自在に装着されるプラグと、を備えている。
【００１０】
そして、前記ジャックは、略柱状の第１絶縁体と、前記第１絶縁体の第１中心線に沿って形成された絶縁体挿入孔と、前記第１中心線に対して直交する方向であって、且つ、所定距離隔てて並行に形成された第１及び第２ジャックコンタクト挿入孔と、前記第１及び第２ジャックコンタクト挿入孔にそれぞれ挿着されたコイルばねからなる第１及び第２ジャックコンタクトと、を有している。
【００１１】
更に、前記プラグは、前記絶縁体挿入孔に対して挿脱自在に挿着される略柱状の第２絶縁体と、前記第２絶縁体の第２中心線の方向であって、且つ、所定距離隔てて並行に形成された第１及び第２プラグコンタクト挿入孔と、前記第１及び第２プラグコンタクト挿入孔にそれぞれ挿着され、前記第１及び第２ジャックコンタクトの側面部に対してそれぞれ離接可能に接触する第１及び第２プラグコンタクトと、を有している。
【発明の効果】
【００１２】
本発明のコネクタによれば、次の（１）〜（４）のような効果がある。
（１）  コイルばねからなる第１、第２ジャックコンタクトの側面部に対して、これと直交する方向に、第１、第２プラグコンタクトを離接可能に接触する構成にしている。そのため、第１、第２ジャックコンタクトと第１、第２プラグコンタクトとの離接構造が簡単になる。しかも、第１、第２ジャックコンタクトの軸方向の長さを短くしても、良好なばね性が得られるので、第１、第２ジャックコンタクトの長さの短縮により、コネクタ全体を容易に小形化できる。
【００１３】
（２）  プラグをジャックに挿入すると、第１、第２ジャックコンタクトの側面部に対して、これと直交する方向に、第１、第２プラグコンタクトが接触するので、両者の接触箇所が多くなる。そのため、コンタクト部分の接触の信頼性が大きい。その上、第１、第２ジャックコンタクトは、コイルばねで構成され、第１、第２プラグコンタクトにより、そのコイルばねに対して直交する方向に押圧力を受けて弾性変形するので、第１、第２ジャックコンタクトの受ける機械的ダメージが小さく、その結果、コンタクト部分の機械的強度が大きい。
【００１４】
（３）  プラグの挿脱時に、良好なるクリック感が得られる。その上、第１、第２ジャックコンタクトの側面部に対して、これと直交する方向に、第１、第２プラグコンタクトが離接するので、第１、第２ジャックコンタクトのばね性を大きくしても、プラグを軽い力で挿脱できる。
【００１５】
（４）  本発明のコネクタは、容易に小形化できるので、小形の携帯機器（例えば、イヤホン及びヘッドホンを含む音響機器等）と電気コード（以下単に「コード」という。）との電気的な接続箇所が狭い空間であっても、容易に取り付けることができる。そのため、携帯機器を含めた種々の電気・電子回路の機器に使用可能である。
【図面の簡単な説明】
【００１６】
【図１】図１は図２中のコネクタの構成を示す拡大図である。
【図２】図２は本発明の実施例１における嵌合型のコネクタの使用例を示すカナル型ヘッドホンの概略の構成図である。
【図３】図３は図１中のジャックの構成を示す図である。
【図４】図４は図１中のプラグの構成を示す分解斜視図である。
【発明を実施するための形態】
【００１７】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１８】
（実施例１の構成）
図２（ａ）、（ｂ）は、本発明の実施例１における嵌合型のコネクタの使用例を示すカナル型ヘッドホンの概略の構成図であり、同図（ａ）は一部が省略された全体の側面図、及び、同図（ｂ）は同図（ａ）の主要部分が分離された図である。
【００１９】
このカナル型ヘッドホン１は、耳の穴である外耳道に差し込んで音響信号を聴くためのものであり、ヘッドホン側の筐体１０を有している。筐体１０内には、電気信号を音響信号に変換するスピーカユニット１１が収容されている。筐体１０の前面には、外耳道に挿入するためのイヤーピース１２が突設されている。イヤーピース１２は、スピーカユニット１１にて変換された音響信号を外耳道へ放出するものである。
【００２０】
ヘッドホン側の筐体１０の背面には、コード側の筐体１３が、嵌合型のコネクタ２０を介して着脱自在に取り付けられている。筐体１３の下部には、弾力性のある断線防止用のコード保護部１４が取り付けられ、このコード保護部１４を通して、コード１５が引き出されている。引き出されたコード１５には、図示しないが、例えば、単頭プラグが接続されており、この単頭プラグを携帯用音響機器へ挿脱自在に挿着する構成になっている。
【００２１】
ヘッドホン側の筐体１０とコード側の筐体１３とを着脱自在に取り付けるためのコネクタ２０は、ヘッドホン側の筐体１０内に装着されたジャック２１と、コード側の筐体１３に装着されたプラグ２２と、により構成されている。プラグ２２の先端部は、筐体１３の前面から突出している。このコネクタ２０は、全体の横、縦及び奥行きの寸法が、例えば、各１０ｃｍ以下の小形のものである。図２（ｂ）の矢印で示すように、プラグ２２の先端部を、筐体１０側のジャック２１へ挿入することにより、筐体１０と筐体１３とが電気的に接続される。
【００２２】
このような構成のカナル型ヘッドホン１では、使用時において、イヤーピース１２を外耳道へ挿着する。すると、図示しない音響機器から出力された音楽等の電気信号は、コード１５、筐体１３、及びコネクタ２０を介して、筐体１０へ送られる。筐体１０へ送られた電気信号は、筐体１０内のスピーカユニット１１によって音響信号に変換され、イヤーピース１２から外耳道へ放出される。これにより、音響機器から出力された音楽等を聴くことができる。
【００２３】
このヘッドホン１では、不使用時の携帯時や保管時において、ヘッドホン側の筐体１０から、コネクタ２０を介して、コード１５を取り外すことができるので、携帯や保管に便利で、使い勝手が良い。
【００２４】
図１（ａ）〜（ｃ）は、図２中のコネクタ２の構成を示す拡大図であり、同図（ａ）は嵌合時のコネクタの全体の斜視図、同図（ｂ）は同図（ａ）中のジャックコンタクトとプラグコンタクトとの接触状態を示す模式な斜視図、及び、同図（ｃ）は同図（ｂ）の模式的な平面図である。図３（ａ）〜（ｃ）は、図１中のジャックの構成を示す図であり、同図（ａ）はジャックの全体の斜視図、同図（ｂ）は同図（ａ）の平面図、及び、同図（ｃ）は同図（ａ）中のジャックコンタクトの斜視図である。更に、図４は、図１中のプラグの構成を示す分解斜視図である。
【００２５】
図１（ａ）に示すように、本実施例１のコネクタ２０は、ジャック２１と、このジャック２１に対して挿脱自在に装着されるプラグ２２と、を備えている。
【００２６】
図１（ａ）及び図３に示すように、ジャック２１は、樹脂部材（例えば、エポキシ、ポリエステル等）により形成された略角柱状の第１絶縁体３０を有している。第１絶縁体３０には、この第１中心線Ｘ１に沿って形成された略円形の絶縁体挿入孔３１が貫通している。絶縁体挿入孔３１の内壁面には、第１中心線Ｘ１方向に、第１案内部（例えば、断面半円形の案内凸部）３２が突設されている。
【００２７】
第１絶縁体３０において、第１中心線Ｘ１方向の中間には、その第１中心線Ｘ１に対して直交する方向Ｙ１に、断面円形の第１ジャックコンタクト挿入孔３３及び第２ジャックコンタクト挿入孔３４が形成されている。第１ジャックコンタクト挿入孔３３と第２ジャックコンタクト挿入孔３４とは、所定距離隔てて並行に形成され、第１絶縁体３０の側面を貫通している。第１ジャックコンタクト挿入孔３３の内壁における左側面の一部には、左外側方向に開放された溝状の開口部３３が形成されている。同様に、第２ジャックコンタクト挿入孔３４の内壁における右側面の一部には、右外側方向に開放された溝状の開口部３４が形成されている。
【００２８】
第１ジャックコンタクト挿入孔３３及び第２ジャックコンタクト挿入孔３４には、第１ジャックコンタクト４１及び第２ジャックコンタクト４２がそれぞれ挿着されている。第１ジャックコンタクト４１及び第２ジャックコンタクト４２は、断面円形のコイルばねにより、それぞれ構成されている。そのコイルばねは、電気伝導度が良く、且つ、ばね性の優れたリン青銅、黄銅等のばね材により形成されている。第１ジャックコンタクト４１の一端部及び第２ジャックコンタクト４２の一端部には、半田接続等のために環状の端子部４１ａ，４２ａがそれぞれ設けられている。各端子部４１ａ，４２ａは、第１絶縁体３０の側面から露出している。
【００２９】
図１（ａ）及び図４に示すように、プラグ２２は、ジャック２１側の絶縁体挿入孔３１に対して挿脱自在に挿着される第２絶縁体５０を有している。第２絶縁体５０は、樹脂部材（例えば、エポキシ、ポリエステル等）により形成されている。この第２絶縁体５０は、全体が略円柱状をなし、上部に、略Ｔ字形のコンタクト分離部５１が突設されている。コンタクト分離部５１の下部には、円板状の上部フランジ５２が形成されている。上部フランジ５２の下には、所定の間隔をおいて、円板状の下部フランジ５３が形成されている。下部フランジ５３の底面である下面における周縁部は、この第２絶縁体５０が第１絶縁体３０の絶縁体挿入孔３１に挿入された時に、その第１絶縁体３０の平面である上面に当接する部分である。
【００３０】
下部フランジ５３の下面と第２絶縁体５０の下端部との間の外周面には、第２絶縁体５０の第２中心線Ｘ２の方向に、第１絶縁体３０の案内凸部３２に対して係合可能な第２案内部（例えば、案内溝）５４が形成されている。上部フランジ５２と第２絶縁体５０の下端部との間には、第２中心線Ｘ２の方向に、断面円形の第１プラグコンタクト挿入孔５５及び第２プラグコンタクト挿入孔５６が形成されている。第１プラグコンタクト挿入孔５５と第２プラグコンタクト挿入孔５６とは、所定距離隔てて並行に形成され、上部フランジ５２と第２絶縁体５０の下端部との間を貫通している。
【００３１】
下部フランジ５３と第２絶縁体５０の下端部との間の外周面において、第２中心線Ｘ２と直交する方向Ｙ２に、第１ジャックコンタクト４１及び第２ジャックコンタクト４２を受け入れるための環状の係合凹部５７が形成されている。環状の係合凹部５７には、第１コンタクト挿入孔５５の内壁の一部を外部に露出させるための開口部５８と、第２コンタクト挿入孔５６の内壁の一部を外部に露出させるための開口部５９と、が形成されている。
【００３２】
第１プラグコンタクト挿入孔５５及び第２プラグコンタクト挿入孔５６には、第１プラグコンタクト６１及び第２プラグコンタクト６２がそれぞれ挿着されている。第１プラグコンタクト６１は、第１ジャックコンタクト４１の側面部（例えば、右側面部）に対して離接可能に接触するものである。同様に、第２プラグコンタクト６２は、第２ジャックコンタクト４２の側面部（例えば、左側面部）に対して離接可能に接触するものである。
【００３３】
第１プラグコンタクト６１は、第２中心線Ｘ２の方向に直線状に延設されて第１ジャックコンタクト４１の右側面部に接触するピン形状の接触部６１ａと、この接触部６１ａに対して直角方向に折り曲げられた係合部６１ｂと、半田接続等のためにその係合部６１ｂの端部に形成された平面を有する端子部６１ｃと、により構成されている。接触部６１ａは、第１プラグコンタクト挿入孔５５に挿着され、係合部６１ｂは、コンタクト分離部６１により係止される。接触部６１ａの下部の一部は、係合凹部５７内の開口部５８から露出している。
【００３４】
同様に、第２プラグコンタクト６２は、第２中心線Ｘ２の方向に直線状に延設されて第２ジャックコンタクト４１の左側面部に接触するピン形状の接触部６２ａと、この接触部６２ａに対して直角方向に折り曲げられた係合部６２ｂと、半田接続等のためにその係合部６２ｂの端部に形成された平面を有する端子部６２ｃと、により構成されている。接触部６２ａは、第２プラグコンタクト挿入孔５６に挿着され、係合部６２ｂは、コンタクト分離部６１により係止される。接触部６２ａの下部の一部は、係合凹部５７内の開口部５９から露出している。これらの第１プラグコンタクト６１及び第２プラグコンタクト６１は、電気伝導度が良いリン青銅、黄銅等により形成されている。
【００３５】
（実施例１のコネクタの動作）
プラグ２２をジャック２１に挿着する場合、プラグ２２の案内溝５４とジャック２１の案内凸部３２とを位置合わせして、プラグ２２の第２絶縁体５０をジャック２１の絶縁体挿入孔３１へ押し込む。すると、プラグ２２の案内溝５４がジャック２１の案内凸部３２に沿って摺動し、プラグ２２が下降していく。プラグ２２が下降すると、プラグ２２の下部の外周面が、コイルばねからなる第１ジャックコンタクト４１と第２ジャックコンタクト４２との間の内側に割り込み、これらのコイルばねの弾性力に抗して、第１ジャックコンタクト４１と第２ジャックコンタクト４２との間を左右に押し広げる。押し広げられた第１ジャックコンタクト４１と第２ジャックコンタクト４２とは、左右の開口部３５，３６内を外方向に弾性変形する。
【００３６】
更に、プラグ２２の下部の外周面が下降して、下部フランジ５３の下面の周縁部が、ジャック２１側の第１絶縁体３０の上面に当接すると、左右に押し広げられた第１ジャックコンタクト４１と第２ジャックコンタクト４２とが、プラグ２２の係合凹部５７内に嵌入する。第１ジャックコンタクト４１及び第２ジャックコンタクト４２が係合凹部５７内に嵌入すると、その第１ジャックコンタクト４１と第２ジャックコンタクト４２との間が、図１（ｂ）の実線矢印で示すように、弾性変形の復元力により収縮する。
【００３７】
すると、第１ジャックコンタクト４１の右側面部が、プラグ２２の開口部５８から露出している第１プラグコンタクト６１における接触部６１ａの左側面部に圧接する。第１ジャックコンタクト４１の復元力が大きい場合、図１（ｂ）、（ｃ）の二点鎖線矢印で示すように、このコイルばねの巻線間に、第１プラグコンタクト６１の接触部６１ａが食い込む。なお、接触部６１ａの太さが、コイルばねの巻線間のピッチよりも大きい場合、その接触部６１ａがコイルばねの巻線間に食い込まないこともある。このような場合でも、接触部６１ａと第１ジャックコンタクト４１との良好な接触状態を得ることができる。
【００３８】
同様に、第２ジャックコンタクト４２の左側面部が、プラグ２２の開口部５９から露出している第２プラグコンタクト６２における接触部６２ａの右側面部に圧接する。第２ジャックコンタクト４２の復元力が大きい場合、図１（ｂ）、（ｃ）の二点鎖線矢印で示すように、このコイルばねの巻線間に、第２プラグコンタクト６２の接触部６２ａが食い込む。なお、接触部６２ａの太さが、コイルばねの巻線間のピッチよりも大きい場合、その接触部６２ａがコイルばねの巻線間に食い込まないこともある。このような場合でも、接触部６２ａと第２ジャックコンタクト４２との良好な接触状態を得ることができる。
【００３９】
これにより、第１ジャックコンタクト４１及び第２ジャックコンタクト４２と、第１プラグコンタクト６１及び第２プラグコンタクト６２と、が電気的に接続され、ジャック２１へのプラグ２２の挿入動作が完了する。
【００４０】
ジャック２１からプラグ２２を取り外す場合、プラグ２２をジャック２１から引き抜く。ジャック２１を引き抜くと、ジャック２１の案内凸部３２に沿ってプラグ２２の案内溝５４が移動し、第１ジャックコンタクト４１及び第２ジャックコンタクト４２から、第１プラグコンタクト６１及び第２プラグコンタクト６２が引き離されて電気的に遮断される。そして、ジャック２１の絶縁体挿入孔３１から、プラグ２２が引き出され、ジャック２１からのプラグ２２の取り外し動作が完了する。
【００４１】
（実施例１の効果）
本実施例１のコネクタ２０によれば、次の（１）〜（４）のような効果がある。
【００４２】
（１）  コイルばねからなる第１、第２ジャックコンタクト４１、４２の側面部に対して、これと直交する方向に、第１、第２プラグコンタクト６１、６２を離接可能に接触する構成にしている。そのため、第１、第２ジャックコンタクト４１，４２と第１、第２プラグコンタクト６１，６２との離接構造が簡単になる。しかも、第１、第２ジャックコンタクト４１，４２の軸方向の長さを短くしても、良好なばね性が得られるので、第１、第２ジャックコンタクト４１，４２の長さの短縮により、コネクタ全体を容易に小形化できる。
【００４３】
（２）  プラグ２２をジャック２１に挿入すると、第１、第２ジャックコンタクト４１，４１の側面部に対して、これと直交する方向に、第１、第２プラグコンタクト６１，６２が接触するので、両者が良好に接触する。そのため、コンタクト部分の接触の信頼性が大きい。その上、第１、第２ジャックコンタクト４１，４２は、コイルばねで構成され、第１、第２プラグコンタクト６１，６２により、そのコイルばねに対して直交する方向に押圧力を受けて弾性変形するので、第１、第２ジャックコンタクト４１，４２の受ける機械的ダメージが小さく、その結果、コンタクト部分の機械的強度が大きい。
【００４４】
（３）  第１、第２ジャックコンタクト４１，４２と第１、第２プラグコンタクト６１，６２との離接時に、プラグ２２の係合凹部５７に対して、第１、第２ジャックコンタクト４１，４２が嵌脱するので、プラグ２２の挿脱時に、良好なるクリック感（即ち、挿脱時のカチカチといった手応え）が得られる。その上、第１、第２ジャックコンタクト４１，４２の側面部に対して、これと直交する方向に、第１、第２プラグコンタクト６１，６２が離接するので、第１、第２ジャックコンタクト４１，４２のばね性を大きくしても、プラグ２２を軽い力で挿脱できる。
【００４５】
（４）  本実施例１のコネクタ２０は、容易に小形化できるので、カナル型ヘッドホン１におけるヘッドホン側の筐体１０及びコード側の筐体１３内の狭い空間を利用して、容易に取り付けることができる。
【００４６】
（変形例）
本発明は、上記実施例１に限定されず、種々の利用形態や変形が可能である。この利用形態や変形例としては、例えば、次の（Ａ）〜（Ｃ）のようなものがある。
【００４７】
（Ａ）  ジャック２１側の第１絶縁体３０は、略角柱状であるが、円柱状等の他の形状に変更しても良い。絶縁体挿入孔３１は、断面が略円形であるが、断面が方形や多角形等の他の形状に変更しても良い。この場合、プラグ２２側の略円柱状の第２絶縁体３０は、絶縁体挿入孔３１の形状に合わせて他の形状に変更すれば良い。又、ジャック２１側の案内凸部３２を溝形状に変更し、これに対応してプラグ２２側の案内溝５４を凸部形状に変更しても良い。
【００４８】
（Ｂ）  プラグコンタクト６１，６２の接触部６１ａ，６２ａは、ピン形状であるが、細長い板状等の他の形状に変更しても良い。これにより、実施例１と略同様の作用効果を奏することができる。
【００４９】
（Ｃ）  図２では、実施例１のコネクタ２０をヘッドホン１に適用した例を説明したが、これに限定されない。本発明のコネクタは、容易に小形化できるので、小形の携帯機器（例えば、イヤホン及びヘッドホンを含む音響機器等）とコードとの電気的な接続箇所が狭い空間であっても、容易に取り付けることができる。そのため、携帯機器を含めた種々の電気・電子回路の機器に使用可能である。
【符号の説明】
【００５０】
１      ヘッドホン
２０      コネクタ
２１      ジャック
２２      プラグ
３０，５０      第１、第２絶縁体
３１      絶縁体挿入孔
３２      案内凸部
３３，３４      第１、第２ジャックコンタクト挿入孔
４１，４２      第１、第２ジャックコンタクト
５４      案内溝
５５，５６      第１、第２プラグコンタクト挿入孔
５７      係合凹部
５８，５９      開口部
【図１】
2014216224.tif 000003
【図２】
2014216224.tif 000004
【図３】
2014216224.tif 000005
【図４】
2014216224.tif 000006